(57)【要約】      （修正有）【課題】耳部の設計により、引き裂き領域を剥がしやすくなり、それにより使用者が食べやすくなるサンドイッチの袋を提供する。【解決手段】サンドイッチの袋の本体１内には収容空間が形成され、前記本体の底部には、前記収容空間と連通する開口１１が形成され、前記本体の両側は、外に向かって延伸する耳部１２を形成し、前記本体の両側表面には、前記耳部に対応する引き裂き領域１２０が形成される。消費者が右手を使おうと、左手を使おうと、軽い力で耳部を引き裂き領域に沿って一周させて剥がすだけで詰められたサンドイッチを簡単に取り出すことができる。【選択図】図３
0003172637.tif 000002
【実用新案登録請求の範囲】
【請求項１】
本体を備えるサンドイッチの袋であって、
前記本体内には収容空間が形成され、前記本体の底部には、前記収容空間と連通する開口が形成され
前記本体の両側は、それぞれ外に延伸して耳部を形成し、前記本体の両側の表面には前記耳部に対応する引き裂き領域が形成され、前記本体表面には、印刷広告効果のある絵柄層が印刷され、前記本体における前記開口から離れた所定の位置にはストッパー部が形成されることを特徴とする、サンドイッチの袋。
【請求項２】
前記本体は、二軸延伸ポリプロピレンフィルム（Ｂｉａｘｉａｌｌｙ  Ｏｒｉｅｎｔｅｄ  Ｐｏｌｙｐｒｏｐｙｌｅｎｅ  Ｆｉｌｍ、ＯＰＰ）であることを特徴とする、請求項１に記載のサンドイッチの袋。
【考案の詳細な説明】
【技術分野】
【０００１】
本考案はサンドイッチの袋に関し、特に使用者が食べやすくなるサンドイッチの袋に関する。
【背景技術】
【０００２】
一般的な朝食販売店は、予め作ったサンドイッチサンドイッチを袋に詰めて、消費者に提供している。
【０００３】
しかしながら、一派的なサンドイッチは、単一の開口しか備えておらず、消費者が食べる時に、必ず、開口箇所のセロテープ（登録商標）を剥がして食べることになる。
【０００４】
一方で、いくつかのメーカーは、サンドイッチの袋の構造を改良している。図１と図２を参照する。図１と図２は、従来のサンドイッチの構造を示した概略図１と２である。図から分かるように、従来の包装袋は袋体３を備え、袋体３の底部は、サンドイッチを収容する開口３０を形成し、袋体３の表面且つ頂部に近い位置は、引き裂き領域３１が形成される。
【０００５】
使用者が、従来のサンドイッチの袋で包まれた商品を購入した時、使用者が指でその引き裂き領域３１を破ると、袋体３の表面に沿って形成された引き裂き領域３１により、袋体３の一端が引き裂き領域３１に沿って破かれてそれに収容されたサンドイッチが露出するため、使用者が食べやすくなる。
【０００６】
しかしながら、この従来のサンドイッチの袋の構造は、使用上、以下の問題と欠点が存在するため、改善が待たれている。
【０００７】
従来のサンドイッチ構造の引き裂き領域３１が頂上から近すぎる場所に設けられていた場合、販売店が、作ったサンドイッチを袋体３に詰めるときに力を入れ過ぎると、引き裂き領域３１が簡単に破れてしまう。また、引き裂き領域３１があまりに離されて設けられていると、消費者が食べる時、引き裂き領域３１を取り除くのが大変で、力を入れ過ぎてサンドイッチをつぶしてしまったりする状況が発生する。
【考案の概要】
【考案が解決しようとする課題】
【０００８】
そこで、本考案は、耳部の設計により、引き裂き領域を剥がしやすくなり、それにより使用者が食べやすくなるサンドイッチの袋を提供することを目的とする。
【課題を解決するための手段】
【０００９】
上述の目的を達するために、本考案によるサンドイッチの袋は、本体を備える。前記本体内には収容空間が形成され、前記本体の底部には、前記収容空間と連通する開口が形成され、前記本体の両側は、外に向かって延伸する耳部を形成し、前記本体の両側表面には、前記耳部に対応する引き裂き領域が形成される。
【考案の効果】
【００１０】
上述の構造により、消費者が本考案で包まれたサンドイッチを購入した時、消費者が右手を使おうと、左手を使おうと、軽い力で耳部を引き裂き領域に沿って一周させて剥がすだけで詰められたサンドイッチを簡単に取り出すことができ  消費者が食べやすくなるという実用進歩性を備えている。本考案は、サンドイッチを詰める時に破れてしまったり、本体を力をいれないと取り除けないといった状況が生じるのを防ぐことができ、それと同時に、本考案の引き裂き領域の隙間は小さいため、蟻が進入することができず、食品の衛生を保つことができる。
【図面の簡単な説明】
【００１１】
【図１】従来のサンドイッチの構造を示した概略図１である。
【図２】従来のサンドイッチの構造を示した概略図２である。
【図３】本考案の実施例１を示した斜視図である。
【図４】本考案の実施例１の使用動作を示した説明図１である。
【図５】本考案の実施例１の使用動作を示した説明図２である。
【図６】本考案の実施例１の使用動作を示した説明図３である。
【図７】本考案の実施例２を示した概略図である。
【考案を実施するための形態】
【００１２】
（実施例１）
図３を参照する。図３は、本考案の実施例１を示した斜視図である。図から分かるように、本考案によるサンドイッチの袋の構造は、主に、本体１を主要部材とし、本体１内には収容空間が形成され、本体１の底部には、収容空間と連通する開口１１が形成され、本体１の両側は、それぞれ外に向かって延伸して耳部１２が形成され、本体１の両側表面には、耳部１２に対応する引き裂き領域１２０が形成される。なお、本体１は、二軸延伸ポリプロピレンフィルム（Ｂｉａｘｉａｌｌｙ  Ｏｒｉｅｎｔｅｄ  Ｐｏｌｙｐｒｏｐｙｌｅｎｅ  Ｆｉｌｍ、ＯＰＰ）であり、本体１における開口１１から離れた所定の位置には、ストッパー部１３が形成される。
【００１３】
上述の構造、組合せによる本考案を使用する時の動作について以下に説明を行う。図４、図５、図６を参照する。図４、図５、図６は、本考案の実施例１の使用動作を示した説明図１と２と３である。図から分かるように、製造業者がサンドイッチを収容空間に詰めた後、その開口１１をセロテープ（登録商標）で封をして固定し、詰め終わったサンドイッチを商品棚に並べることで、消費者に提供する。消費者が本考案を用いたサンドイッチを購入した時、本体１の両側の耳部１２の設計により、使用者が左手を使おうと右手を使おうと、どちらにしても、引き裂き領域１２０に沿って剥がすことにより簡単に袋に詰められたサンドイッチを露出させることができ、それにより、使用者が食べやすくなる。重要な点としては、本考案の本体１は、二軸延伸ポリプロピレンフィルム（Ｂｉａｘｉａｌｌｙ  Ｏｒｉｅｎｔｅｄ  Ｐｏｌｙｐｒｏｐｙｌｅｎｅ  Ｆｉｌｍ、ＯＰＰ）であるため、製造業者が本体１上に引き裂き領域１２０を形成させたり、或いは、販売店がサンドイッチを詰めたりする時、引き裂き領域１２０が簡単に破けることがない、という点である。
【００１４】
（実施例２）               
図７を参照する。図７は、本考案の実施例２を示した概略図である。図から分かるように、本考案の本体１ａの表面には、広告効果のある絵柄層１４ａが印刷される。それにより、サンドイッチを詰めた後、その商品の消費力が強化される。
【００１５】
全ての図を参照する。本考案を使用すると、従来の技術に比べ以下の利点がある。
【００１６】
耳部１２の設計により、使用者は、包装を簡単に取り除くことができ、しかも、手がサンドイッチ自体に触れないため、食べるのに便利であるとともに安全衛生にも優れている。
【符号の説明】
【００１７】
（従来技術）
３    袋体
３０  開口
３１  引き裂き領域
（本考案）
１、１ａ  本体
１１      開口
１２      耳部
１２０    引き裂き領域
１３      ストッパー部
１４ａ    絵柄層
【図１】
0003172637.tif 000003
【図２】
0003172637.tif 000004
【図３】
0003172637.tif 000005
【図４】
0003172637.tif 000006
【図５】
0003172637.tif 000007
【図６】
0003172637.tif 000008
【図７】
0003172637.tif 000009